(57)【要約】【課題】  画素の位置と割合を表示パネルにてユーザに示す撮像装置を提供すること。【解決手段】  表示手段上の領域を特定の領域に分割し、入力された入力画素が表示手段上のどの領域にあるか判定して領域情報を出力する分割ブロック判定手段と、領域情報から現在の領域内の処理の完了を判定してブロック完了フラグを出力するブロック完了判定手段と、入力画素が特定の色域内にあるかどうか判定して色域判定情報を出力する色域判定手段と、色域判定情報に基づいて領域情報にて示される領域ごとに数をカウントして領域内情報を出力する領域画素加算手段と、ブロック完了フラグを受けて領域内情報から領域ごとの表示濃度データを生成する表示濃度生成手段と、を有することを特徴とする。【選択図】図１
2020102796.tif 000002
【特許請求の範囲】
【請求項１】
画像を表示可能な表示手段を備えた撮像装置において、
前記表示手段上の領域を特定の領域に分割し、入力された入力画素が前記表示手段上のどの領域にあるか判定して領域情報を出力する分割ブロック判定手段と、
前記領域情報から現在の領域内の処理が完了を判定してブロック完了フラグを出力するブロック完了判定手段と、
前記入力画素が特定の色域内にあるかどうか判定して色域判定情報を出力する色域判定手段と、
前記色域判定情報に基づいて前記領域情報にて示される領域ごとに数をカウントして領域内情報を出力する領域画素加算手段と、
前記ブロック完了フラグを受けて前記領域内情報から領域ごとの表示濃度データを生成する表示濃度生成手段と、
を有することを特徴とする撮像装置。
【請求項２】
前記分割ブロック判定手段が分割する領域は画面を等分割した領域であることを特徴とする請求項１に記載の撮像装置。
【請求項３】
前記分割ブロック判定手段は画像の特徴点に応じて適応的に領域を分割する機能を有することを特徴とする請求項１に記載の撮像装置。
【請求項４】
前記分割ブロック判定手段は前記表示手段内の特定の範囲のみを領域とする機能を有することを特徴とする請求項１に記載の撮像装置。
【請求項５】
前記分割ブロック判定手段は前記特定の範囲内でさらに領域分割する機能を有することを特徴とする請求項４に記載の撮像装置。
【発明の詳細な説明】
【技術分野】
【０００１】
本発明は、撮像装置に関し、特に撮像した画像を確認する表示手段を備えた撮像装置に関する。
【背景技術】
【０００２】
デジタルカメラは、撮影中もしくは撮影後に被写体の状況を確認する目的で液晶等の表示パネルを搭載しているものが多い。
【０００３】
撮影時においては、撮影前に被写体の画角や色合いなどを確認し、状況に応じてユーザの意図する撮像画像になるようにパラメータを調整する目的で表示パネルにプレビュー画像を表示する。
【０００４】
近年では、色再現性の新技術として従来のＢＴ．７０９等で表現できる色域を大きく向上させたＢＴ．２０２０といった規格が提唱され、テレビなどの一般ユーザ向けの表示装置にも採用され始めている。
【０００５】
一方、デジタルカメラ等の画像表示部に使われるような表示パネルでは、コスト面から従来の色域のみに対応した表示パネルが搭載されている場合が多い。
【０００６】
この場合、実際に撮像されている画像と表示パネルに表示されている画像では差があり、ユーザが表示パネル上で実際に撮像されている画像の状況を確認することが困難である。
【０００７】
ユーザに撮像画像の状況を確認する手段として、表示パネルで表示できない色域が撮像画像中にどの程度存在するのか、その割合をグラフで表示させる機能を有する技術が提案されている（特許文献１）。
【先行技術文献】
【特許文献】
【０００８】
【特許文献１】特開２００８−３０１４１５号公報
【発明の概要】
【発明が解決しようとする課題】
【０００９】
しかしながら、上記の特許文献１の構成では、画面全体に対する表示不能画素の割合を示すだけであり、表示画面上の位置は特定できない。
【００１０】
本発明は、上記の問題に鑑み、画素の位置と割合を表示パネルにてユーザに示す撮像装置を提供することを目的とする。
【課題を解決するための手段】
【００１１】
上記の目的を達成するために、本発明に係る撮像装置は、
画像を表示可能な表示手段を備えた撮像装置において、前記表示手段上の領域を特定の領域に分割し、入力された入力画素が前記表示手段上のどの領域にあるか判定して領域情報を出力する分割ブロック判定手段と、前記領域情報から現在の領域内の処理が完了を判定してブロック完了フラグを出力するブロック完了判定手段と、前記入力画素が特定の色域内にあるかどうか判定して色域判定情報を出力する色域判定手段と、前記色域判定情報に基づいて前記領域情報にて示される領域ごとに数をカウントして領域内情報を出力する領域画素加算手段と、前記ブロック完了フラグを受けて前記領域内情報から領域ごとの表示濃度データを生成する表示濃度生成手段を有することを特徴とする。
【発明の効果】
【００１２】
本発明によれば、画素の位置と割合を表示パネルにてユーザに示す撮像装置を提供することができる。
【図面の簡単な説明】
【００１３】
【図１】構成を示すブロック図である。
【図２】動作の流れを示すフロー図である。
【図３】撮像装置に入力された画像を１６の領域に分割した例である。
【図４】分割領域を示した図である。
【図５】画像の分割を変えた図である。
【図６】画像の一部を分割した場合を示した図である。
【図７】色域外の画素の数に応じて領域を色分けした図である。
【図８】色分けした領域を表示画像に重畳した図である。
【発明を実施するための形態】
【００１４】
以下、図面を参照しながら本発明の好適な実施の形態を説明する。
【００１５】
＜実施例１＞
図１を用いて、本発明の第１の実施例１を説明する。
【００１６】
図１は実施例１の構成を示した図である。
【００１７】
１００は入力画像である。１０１は色域判定部である。１０２は分割ブロック判定部である。１０３は領域画素加算部である。１０４はブロック完了判定部である。１０５は表示濃度生成部である。１０６は領域濃度データである。
【００１８】
入力画像１００は撮像装置に搭載されている表示パネルで表示される画像データではなく、記録されるデータを表示装置と同じ画像サイズに変換されたデータである。従って、記録される画像によっては表示パネルが表示できる以上の色域を持っている場合がある。入力画像１００は１枚分の画像データが画素ごとに逐次入力され、色域判定部１０１と分割ブロック判定部１０２へと渡される。
【００１９】
色域判定部１０１にて入力画像１００の画素の判定を行う。入力画素が表示パネルで表現可能な色域にない場合、表示パネルには表示可能な色に近似された画素が表示されることになる。実際に記録、または表示パネルよりも高性能な表示機器へと出力されている画素は、表示される画素以上の情報を持ち、表示パネルで表示される画素とは異なる。このように、入力画素が表示パネルで表示可能な色の領域か否かを判定し、領域外ならば領域画素加算部１０３に対して加算指示を出す。
【００２０】
分割ブロック判定部１０２では、入力された画素の表示パネル上の位置座標からどの分割領域になるかを判定し、領域番号を領域画素加算部１０３とブロック完了判定部１０４へと渡す。
【００２１】
領域画素加算部１０３は色域判定部１０１から加算指示を受けると、分割ブロック判定部にて指示された領域番号ごとに加算指示の回数をカウントし、現時点でのカウント値を出力する。
【００２２】
ブロック完了判定部１０４は各領域番号で示される領域内画素の処理が全て完了したかどうかを判定し、その領域番号の完了通知を出す。ある領域内の全ての画素処理が完了した場合、その領域に関する色域外画素のカウント値が確定することになる。
【００２３】
表示濃度生成部１０５はブロック完了判定部１０４から領域番号と完了通知を受け取ると、その時点の領域画素加算部１０３のカウント値を領域濃度データ１０６として出力する。
【００２４】
次に図２のフロー図、図３の画像分割例、図４の分割番号例を用いて各画素ごとの処理手順を説明する。
【００２５】
図３は撮像装置に入力された画像を１６の領域に分割した例である。説明簡略化のため分割数を１６としているが、特に制限するものではない。図４は図３で分割された領域に領域番号をつけたものである。図４の領域番号は、図３の画像分割例の位置に対応しているものとする。
【００２６】
まず、ｓ２００にて入力画素が図４に示されている領域番号に属しているのかを判断する。例えば、入力画素の位置が図３の一番左上内であるとき、その画素の領域は領域１と判定される。
【００２７】
次にｓ２０１にて入力画素の画素値が表示パネルで表示可能な色域に存在するかどうかを判定し、色域内の場合はｓ２０３へ、色域外の場合はｓ２０２へと進む。色域外だった場合、ｓ２０２にて色域外のカウンタ値を＋１し、ｓ２０３へ進む。
【００２８】
前述したように、カウンタ値は領域ごとに個別に保持する必要がある。図３のように１６分割した場合は、１６個のカウンタ値を用意する。
【００２９】
ｓ２０３にて入力された画素によって現在の領域内の画素の処理が全て完了したかどうかを判定する。現在の領域内の画素の処理が完了していない場合、ｓ２００へと戻り次の画素に対する処理を開始する。現在の領域内の画素の処理が完了した場合、現在の領域に関して色域外のカウントが完了し、ｓ２０４に進む。
【００３０】
ｓ２０４にて領域内の総画素数に対する色域外のカウント値から領域内でのパネル表示不可能画素の割合を求める。
【００３１】
ｓ２０５にて１画面の全ての画素に対する処理が完了したかを判定し、完了していない場合はｓ２００へと戻り、次の領域の入力画素に対して処理を開始する。例えば現在処理していた領域が領域１だった場合、領域２の処理へと移る。一画面分の処理が完了するまで上記手順を繰り返す。一画面分の処理とは図４に示す領域１から領域１６までの各領域内の処理が全て完了していることを示す。最終的な各領域のカウント値は、表示パネルで表示できない画素の個数を表している。領域１から領域１６までの各領域内の画素数に対して表示できない画素がそれぞれ何個あるのかという領域濃度データを示している。
【００３２】
＜実施例２＞
実施例１では画面を均等に１６分割した場合を示しているが、領域を均等に分割していない場合においても有効である。表示パネルの分割は、あらかじめ指定されるだけでなく、状況に応じて変更することも可能である。
【００３３】
図５は図２の画像を均等ではなく、画像の特徴を抽出して５個に分割した例を示している。
【００３４】
抽出の方法は、エッジ検出、色検出等考えられるが、特に限定するものではない。図５の例では領域１は空、領域２、３は陸地、領域４は海というように分割されている。ユーザはそれぞれの領域に対して図２のフローに示す処理を施すことで、画像の特徴による領域濃度データを得ることができる。領域４内は海なので、表示パネルで表示できない画素が多く含まれてはおり、その頻度は場所によって多少なりとも差があるが、ユーザの知りたい情報を直感的に表現することが可能となる。これらの分割領域はシーンが変わったり、装置を起動するたびに適応的に特徴を抽出して変更したり、ユーザの指示が出たときに変更する。
【００３５】
また、図６に示すようにユーザが画面内の範囲を指定し、範囲外の処理を施さないようにして処理負荷や領域情報の保持量を軽減する。図６では特に色域の差が激しいと思われる海の部分を指定した例を示している。図６に示しているように指定範囲内をさらに細かくブロック分けすることで、より詳細な情報を入手することが可能となる。この場合、指定した領域以外に対する処理は行わない。領域画素加算部１０３は分割ブロックごとに画素を加算するので、あらかじめ決められた数の処理しかできない。まずは図５に示すように、画像の特徴を抽出して大まかな領域に分け、さらに図６に示すように精査する範囲を絞ることで、使用できる領域数を範囲内に適用することでより詳細な解析が可能となる。
【００３６】
＜実施例３＞
実施例３にて実施例１および実施例２の手法によって算出された領域濃度データをユーザに対して視覚的に表現する手法を説明する。
【００３７】
図７は図３の領域に分けられた画像に対して色分けした様子を示した図である。領域内で表現できない画素の割合に応じて色分けしている。例えば、表現できない画素の割合が多ければ濃い色、少なければ薄い色、のように濃度差によって領域を色分けすることでユーザに視覚的に表現することが可能である。このように表現することで、ユーザは表示パネル上に表現されている画像のどの位置にどの程度表示できない画素が存在するのか把握できる。
【００３８】
表現方法として、ユーザの指示に従って図３と図７を交互に表現することで表示パネル上の位置と実際の画像の場所の対応が取れる。図８では図３の画像に対して図７の色分けした図を重畳して表示している例である。図８に示すように元の表示画像である図３も同時に確認することが可能である。表示画像自体を変更するのではないので、パネルに本来の画像を表示するのと色域外の情報を表示する領域濃度データの表示はユーザの指示により切り替ることも可能である。
【００３９】
以上、本発明の好ましい実施形態について説明したが、本発明はこれらの実施形態に限定されず、その要旨の範囲内で種々の変形及び変更が可能である。
【符号の説明】
【００４０】
１００  入力画像、１０１  色域判定部、１０３  領域画素加算部、
１０４  ブロック完了判定部、１０６  領域濃度データ
【図１】
2020102796.tif 000003
【図２】
2020102796.tif 000004
【図３】
2020102796.tif 000005
【図４】
2020102796.tif 000006
【図５】
2020102796.tif 000007
【図６】
2020102796.tif 000008
【図７】
2020102796.tif 000009
【図８】
2020102796.tif 000010